(57)【要約】  本発明は、携帯電話移動無線通信網におけるトラッキングエリア信号処理方法に関する。  移動無線通信装置が静止状態であるかを決定するステップと、該移動無線通信装置が静止状態であることの指示をネットワークに提供するステップと、該ネットワークにおいて該移動無線通信装置が静止状態であることの該指示に応答して該移動無線通信装置に少なくともひとつのトラッキングエリアおよび/または等価トラッキングエリアリストを割当てるステップとを含むトラッキングエリア信号処理制御方法を提供する。
2008130013.tif 000002
【特許請求の範囲】
【請求項１】
移動無線通信装置が静止状態であるかを決定するステップと、該移動無線通信装置が静止状態であることの指示をネットワークに提供するステップと、該ネットワークにおいて該移動無線通信装置が静止状態であることの該指示に応答して該移動無線通信装置に少なくともひとつのトラッキングエリアおよび/または等価トラッキングエリアリストを割当てるステップとを含む、携帯電話移動無線通信網におけるトラッキングエリア信号処理制御方法。
【請求項２】
移動無線通信装置が静止状態であるかを決定する前記ステップは該移動無線通信装置内で実行される請求項1に記載の方法。
【請求項３】
該移動無線通信装置は、該装置が所定期間セルを変えていないと決定された場合には、静止状態であるとみなされる、請求項１若しくは請求項2に記載の方法。
【請求項４】
前記所定期間は周期的TA更新タイマの期間を含む、請求項2に記載の方法。
【請求項５】
該ネットワークへ提供される前記指示は信号処理フラグを含む利点がある、請求項1、請求項2、請求項3または請求項4に記載の方法。
【請求項６】
該フラッグは周期的TA更新メッセージ内に設けられる、請求項５に記載の方法。
【請求項７】
該ネットワークへ提供される前記指示は現時点でのセル識別データを用いて提供される、請求項1から請求項6のいずれか一項以上に記載の方法。
【請求項８】
該セルが複数のTAに属すときには、該ネットワークは使用可能なより小さいTAを割当てるように設けられることができる、請求項の上記各項のいずれか一項以上に記載の方法。
【請求項９】
該セルが単一のTAに属し該移動無線通信装置がすでに複数のTAを割当てられていれば、該ネットワークは等価TAリスト内のTAを減らして該移動無線通信装置に割当てるか、単一のTAを該移動無線通信装置に割当てる、請求項1から請求項7のいずれか一項以上に記載の方法。
【請求項１０】
前記方法は該移動無線通信装置がもはや静止状態ではないか否かを決定しこの決定に関して適切な指示を該ネットワークに提供するステップを含む、請求項の上記各項のいずれか一項以上に記載の方法。  
【請求項１１】
該移動無線通信装置が静止状態であるという前記指示は次の周期的TA更新メッセージ内に設けられる、請求項10に記載の方法。
【請求項１２】
前記指示は該メッセージ内に設定されたフラグによって提供される、請求項11に記載の方法。
【請求項１３】
該移動無線通信装置がもはや静止状態ではないという前記指示は次の周期的TA更新メッセージ内に設けられる、請求項10に記載の方法。
【請求項１４】
携帯電話移動無線通信網内での動作のために設けられる移動無線通信装置であって、前記装置が静止状態であるかを決定する手段と、前記装置が静止状態であることをネットワークに指示する手段と、該ネットワークから割当てられた少なくともひとつのトラッキングエリアおよび/または等価トラッキングエリアリストを受信する手段とを含み、該割当てられた少なくともひとつのトラッキングエリアおよび/または等価トラッキングエリアリストは前記装置が静止状態であるという前記指示に応答して該ネットワークから送信されたものである移動無線通信装置。
【請求項１５】
該装置が静止状態であるかを決定する該手段は、所定期間にセルが変えられたかを決定するように設けられる、請求項14に記載の装置。
【請求項１６】
前記所定期間は周期的TA更新タイマの期間を含む、請求項15に記載の装置。
【請求項１７】
該移動無線通信装置が静止状態であることを該ネットワークに指示するための該手段は信号処理フラグを提供する手段を含むことができる、請求項14、請求項15または請求項16に記載の装置。
【請求項１８】
該フラッグは周期的TA更新メッセージ内に設けられる、請求項17に記載の装置。
【請求項１９】
該移動無線通信装置が静止状態であることを該ネットワークに指示するための該手段は、信号処理中における現時点でのセル識別データを含むための手段を含むことができる、請求項14から請求項18のいずれか一項以上に記載の装置。
【請求項２０】
前記装置はさらに前記装置がもはや静止状態ではないという指示を該ネットワークに提供するための手段を含む、請求項14から請求項19のいずれか一項以上に記載の装置。  
【請求項２１】
移動無線通信装置から該移動無線通信装置が静止状態であることの指示を受信するための手段と、該移動無線通信装置が静止状態であることの前記指示に応答して少なくともひとつのトラッキングエリアおよび/または等価トラッキングエリアリストを該移動無線通信装置に割当てるための手段とを含む、携帯電話移動無線通信網装置。
【請求項２２】
前記通信網装置は該移動無線通信装置が静止状態であるという指示を提供する信号処理フラグを受信するように設けられる、請求項21に記載の通信網装置。
【請求項２３】
該信号処理フラグは周期的TA更新メッセージ内に設けられる、請求項22に記載の通信網装置。
【請求項２４】
前記通信網装置は、該移動無線通信装置から該現時点でのセル識別を含みかつ該移動無線通信装置が静止状態であることの指示を提供する作用をする信号を受信するように設けられる、請求項21、請求項22または請求項23に記載の通信網装置。
【請求項２５】
前記通信網装置の設けられ方は、該セルが複数のTAに属すときには、該携帯電話移動無線通信網装置は、使用可能なより小さいTAを割当てるように設けられる、請求項21、請求項22、請求項23または請求項24に記載の通信網装置。
【請求項２６】
該セルが単一のTAに属しているが該移動無線通信装置がすでに複数のTAを割当てられていれば、該携帯電話移動無線通信網装置は等価TAリスト内のTAを減らすかまたは単一のTAを該移動無線通信装置に割当てるように設けられる、請求項21、請求項22、請求項23または請求項24に記載の通信網装置。
【請求項２７】
本質的に、添付の図面の図1および図2に示されかつ図1および図2を参照して以上に説明されたようなトラッキングエリア信号処理制御方法。
【請求項２８】
本質的に、添付の図面の図3に示されかつ図3を参照して以上に説明されたような移動無線通信装置。
【請求項２９】
本質的に、添付の図面を参照して以上に説明されたような移動無線通信網装置。
【発明の詳細な説明】
【技術分野】
【０００１】
本発明は携帯電話移動無線通信網内でのトラッキングエリア信号処理に関し、特に、そのような信号処理の制御方法と、関連する移動無線通信装置および移動無線通信網装置とに関する。
【背景技術】
【０００２】
移動無線通信網内のトラッキングエリア(Tracking Area (TA))は移動無線通信装置ユーザ装置(User Equipment (UE))登録手順の援助用に広く使用されている。これは、このような手順が、統計的に定義されたTA間のUE可動度に基づきうるものだからである。TAは、GSM網内では配置域として定義され、GRPSおよびUTRANシステム内では経路域として定義される。【０００３】
これらの周知のTA系登録手順では、UEが登録を行うのは、UEが存在するセルが、現時点でUEが登録されているTAとは異なるTAを同報通信の対象とする場合である。【０００４】
このような登録手順は単純であるという利点を持つ一方で、特にTAが固定サイズであることによる問題と限界が存在しうる。【０００５】
例えば、TAが比較的小規模である場合には、登録要求の頻度が高くなるので信号処理量が多くなる。このTAに対して高速で出入りするUEが多い場合には、信号処理トラヒックの増加はことさら顕著である。【０００６】
これと比較して、TAが比較的大規模であれば、このより広いTAに関するUEは比較的多数であるので、呼出しのための信号処理のオーバーロードが高くなる可能性がある。この潜在的なオーバーロードの問題は、UEが静止状態であると特に顕著に発生し得る。【０００７】
さらに、UEが静止状態であるが、異なるTA間の境界の近くに配置されている場合には、間欠的に繰返される登録、若しくは「ピンポン」登録が発生し得る。【０００８】
また、例えばUE所有者たちが、列車やバス等を連ねて全員で移動している場合に、それらの多くのUEがひとつのTAから別のTAへ移るときに必要となる同時登録によって、アップリンクのトラヒックに局地的なスパイクが発生し得る。【０００９】
これらの限界と問題を考慮のうえで、各種3GPP会議において、特に、2 TA間の境界域に配置された長期展開(Long Term Evolution (LTE))装置内での過剰なTA更新信号処理を回避するための討議がなされている。【００１０】
例えば、SAE 3GPP TR23,882 セクション7.3.2において討議され提案された解決策は、一個のLTEセルが複数のTAに属すことを許し、また、いくつかのTAは部分的に重なり合うことを許すものである。さらに、共通UE端末内に複数のTAを割当てることに関する提案もある。【００１１】
重なり合うTAを使用する場合、UEはそのTAから完全に抜け出るまではそのTAを更新しない、また、これは、TA境界においてピンポン登録を減少させるのに役立つヒステリシスをある程度許容するものである。【００１２】
さらに、セル内にいくつかのTAのレベルを構成し階層TAを選択することもできる。こうすれば、同一セル内において、UEは多くの異なるサイズのTAのひとつに割当て可能である。これによって、低速UEや高速UEによる問題に少なくとも部分的に対処でき、また、TA境界で発生しがちなピンポン登録を制限するのにも役立ちうる。しかし、構造上および制御上の要求、すなわち、移動中のUEの速度をどのように測定するか、階層内でそれぞれのTAレベルをいかに構成するか、また、どのTAを選択するかの決定を行う実体は、依然としてFFSに残されたままである。【００１３】
TA更新手順中での一個以上のTAに関連するUEの設置に関しては、TAがシステム情報(System Information (SI))に含まれていない状態でUEが新しいセルを選択しなおすときに、このUEがTA更新手順の引金となるように設置される。このようなシステムは、固定境界TA構成と重なり/階層TA構成との双方に関連して適用できる。ここでも、どのようにTA等価リストを決定するかはFFSに残されたままである。
【発明の開示】
【発明が解決しようとする課題】
【００１４】
しかし、上記提案の主題は、現状の技術内での問題と限度、特に、UEがより大きいTA内に静止状態で存在する場合において、呼出しのオーバーロードに関連する問題と限度に関する限り、制限されたままであるという不利益が考えられる。【００１５】
したがって、本発明の目的は、上記公知の方法および装置よりも優れた、TA信号処理制御方法および関連する移動無線通信装置ならびに移動無線通信網装置を提供することである。
【課題を解決するための手段】
【００１６】
本発明の第一の観点によれば、移動無線通信装置が静止状態であるかを決定するステップと、該移動無線通信装置が静止状態であることの指示をネットワークに提供するステップと、該ネットワークにおいて該移動無線通信装置が静止状態であることの該指示に応答して該移動無線通信装置に少なくともひとつのトラッキングエリアおよび/または等価トラッキングエリアリストを割当てるステップとを含む携帯電話移動無線通信網におけるトラッキングエリア信号処理制御方法が提供される。【００１７】
本発明は、静止中の移動無線通信装置UEへの呼出しオーバーロードを減少する機能を有する点で、特に有利であることを示す。  【００１８】
本発明は、UEが静止している期間の呼出しオーバーロード減少が極めて有益であるという利点が認められる。【００１９】
また、本発明は、上記のよく知られたTA構成、即ち、重なりTAと階層TA構成とを含む多数のTAに属するセル、および複数TA割当てつまり等価TAリストをもつセル、による特有な利点を持つことにより、静止状態のUEへの呼出しオーバーロードを減少する機能を有する点で、特に有利であることを示し得る。  【００２０】
特に有利なこととして、移動無線通信装置に割当てられたTAまたは等価TAリストは、UEの静止状態の性質に関連する特定の要請に対して、最適なものである。【００２１】
好ましくは、移動無線通信装置が静止状態であるかを決定する前記ステップは該移動無線通信装置内で実行される。【００２２】
特に、該移動無線通信装置は、該装置が所定期間セルを変えていないと決定された場合には静止状態であるとみなされる。【００２３】
ある実施例では、前記所定期間は周期的TA更新タイマによって決定される長さである。【００２４】
該ネットワークへ提供される前記指示は信号処理フラグを含む利点がある。【００２５】
特に、該フラッグは周期的TA更新メッセージ内に設けられ得る。【００２６】
若しくは、該ネットワークへ提供されるべき前記指示は信号処理中における現時点でのセル識別データを含めることによって提供され得る。【００２７】
上記少なくとも一個のTAおよび／または等価TAリストは、移動無線通信装置に適切かつ最小のTAが使用可能になるように割当てられ得る。【００２８】
なおさらに、該セルが複数のTAに属すときには、該ネットワークは使用可能なより小さいTAを割当てるように設けられることが可能である。【００２９】
または、該セルが単一のTAに属し該移動無線通信装置がすでに複数のTAを割当てられていれば、該ネットワークは等価TAリスト内のTAを減らして該移動無線通信装置に割当てるか、単一のTAを該移動無線通信装置に割当てるようにできる。【００３０】
前記方法は該移動無線通信装置がもはや静止状態ではないか否かを決定し、該状態であればこの決定に関して適切な指示を該ネットワークに提供するステップをさらに含む利点がある。  【００３１】
該移動無線通信装置が現時点で静止状態であるというそのような指示は次の周期的TA更新メッセージ内に設けられ得る。【００３２】
特に、前記指示は該メッセージ内に設定されたフラグによって提供され得る。【００３３】
若しくは、該移動無線通信装置がもはや静止状態ではないという前記指示は、次の正常なまたは周期的TA更新メッセージ内に、いずれかより早く発生した方に従って設けられ得る。【００３４】
本発明の他の観点によれば、携帯電話移動無線通信網内での動作のために設けられる移動無線通信装置であって、前記装置が静止状態であるかを決定する手段と、前記装置が静止状態であることをネットワークに指示する手段と、該ネットワークから割当てられた少なくともひとつのトラッキングエリアおよび/または等価トラッキングエリアリストを受信する手段とを含み、該割当てられた少なくともひとつのトラッキングエリアおよび/または等価トラッキングエリアリストは前記装置が静止状態であるという前記指示に応答して該ネットワークから送信されたものであるという移動無線通信装置が提供される。【００３５】
特に、該装置が静止状態であるかを決定する該手段は、所定期間にセルが変えられていないかどうかを決定するように設けられる。【００３６】
前記所定期間は上記のように周期的TA更新タイマの期間を含み得る。【００３７】
さらに、該移動無線通信装置が静止状態であることを該ネットワークに指示するための該手段は信号処理フラグを提供する手段を含むことができる。【００３８】
特に、該フラッグは周期的TA更新メッセージ内に設けられ得る。若しくは、該移動無線通信装置が静止状態であることを該ネットワークに指示するための該手段は、信号処理中における現時点でのセル識別データを含むための手段を含むことができる。【００３９】
上記から 理解されるように、移動無線通信装置に受信された上記割当てられた少なくとも一個のTAおよび／または等価TAリストは、適切かつ最小のTAまたはリストを含む。【００４０】
前記移動無線通信装置はさらに前記装置がもはや静止状態ではないという指示を該ネットワークに提供するための手段を含むことができる。  【００４１】
このような手段は、次の周期的TA更新メッセージ内の指示として提供されることができ、特に、メッセージ内のフラグにより、または、次の正常なTA更新メッセージ内の指示として提供され得る。【００４２】
本発明の他の観点によれば、移動無線通信装置から該移動無線通信装置が静止状態であることの指示を受信するための手段と、該移動無線通信装置が静止状態であることの前記指示に応答して少なくともひとつのトラッキングエリアおよび/または等価トラッキングエリアリストを該移動無線通信装置に割当てるための手段とを含む携帯電話移動無線通信網装置が提供される。【００４３】
特に、前記携帯電話移動無線通信網装置は、前記移動無線通信装置が静止状態であるという指示を提供する信号処理フラグを受信するように設けられる。【００４４】
さらに、該信号処理フラグは周期的TA更新メッセージ内に設けられることができる。【００４５】
若しくは、前記携帯電話移動無線通信網装置は、該移動無線通信装置から該現時点でのセル識別データを含みかつ該移動無線通信装置が静止状態であるという指示を提供するように供せられる信号を受信するように設けられることができる。【００４６】
具体的な実施例では、上記少なくとも一個のTAおよび／または等価TAリストを割当てるための手段は、移動無線通信装置に適切かつ最小のTAまたはTAリストを割当てるように設けられる。【００４７】
さらにまた、前記携帯電話移動無線通信網装置は、該セルが複数のTAに属すときには、該携帯電話移動無線通信網装置が、使用可能なより小さいTAを割当てるように設けられることができる。【００４８】
若しくは、該セルが単一のTAに属しているが該移動無線通信装置がすでに複数のTAを割当てられていれば、該携帯電話移動無線通信網装置は等価TAリスト内のTAを減らすかまたは単一のTAを該移動無線通信装置に割当てるように設けられることができる。【００４９】
したがって上記から理解されるように、本発明は、セルが複数のTAに属す場合およびTA更新においてセルが複数の(等価) TAリスト割当てを有する正常な即ち固定TAに属す場合に、静止状態のUEに対する呼出しオーバーヘッドを減少するための極めて有効かつ簡単な構成を提供する。【００５０】
本発明は、UEが静止状態であり得るようなあらゆる状態において、それが商業的環境での使用状態であろうと、呼出し信号処理のオーバーヘッド減少において有利である。
【発明を実施するための最良の形態】
【００５１】
さらに、例として添付図面を参照して、本発明を以下に説明する。【００５２】
上記から理解されるように、本発明は、特に複数トラッキングエリア内の静止状態UEに関し、そのような静止状態UEへの呼出しオーバーヘッドを減少させるものである。本発明は、特に、UEが複数のセル内で、とりわけUEが静止状態であるときに呼出されるような呼出しにおけるオーバーヘッドの問題に対処するものである。例えば、夜間においてUEがオン状態のままである場合またはUEがオフィス環境にある場合には、UEがほとんどの期間静止状態であることがある。これら静止状態の期間に呼出しオーバーヘッドを減少させることは、特に有益である。本発明は、セルが複数のTA(重なり/階層TA)に属すTA構成およびセルが複数のTA割当て(等価TAリスト)を有するTA構成の点に焦点を当てることで、静止状態のUEに対する呼出しのオーバーヘッドを減少する作用を有する。【００５３】
上記の考察から明らかなように、重要な点は「セル内で静止状態である」という基準を採用したことである。UEは自身がセル内でいつ静止状態であるかを検出できる。これに関する検出基準は、UEがある一定期間セルを変えないことである。例えば、周期的TA更新タイマの期間が再選択されなければ、UEはセル内静止状態(Stationary in Cell (SiC))フラグをオンに設定できる。UEが再選択すれば直ちにSiCフラグをオフに設定できる。当然ながら、周期的TA更新タイマの期間はネットワーク特有のものである。【００５４】
このように、セル内静止状態基準が満たされれば、UEはこれをネットワークに指示する。例としては、UEはSiCフラグを周期的TA更新メッセージ内に含めることができる。周期的TA更新メッセージ内のこの新しいSiCフラグは、UEが少なくとも周期的TA更新タイマによって設定された期間中に上記セルから移動したか(SiCフラグ=オフ)しなかったか(SiCフラグ=オン)をネットワークに示す。当然ながら、これによって、他の既存の信号処理または新しく指定された特定な信号を用いたネットワークへの他の指示方法が除外されるものではない。現時点のセルIDをオプションで含めることも、セル内でUEが静止状態になった事実をネットワークに指示するのに使用可能である。【００５５】
いずれにせよ、ネットワークに対するセル内静止状態指示によって、ネットワークは最小かつ最適で使用可能なTAまたは等価TAリストをUEに割り当てできるようになる。したがって、セルが複数のTAに属すときには、ネットワークは、使用可能であれば、より小さいTAを選択し割当てることができる。しかし、セルが一個のトラッキングエリアに属しているが、UEがすでに複数のTA(等価TA)に割当てられているときには、ネットワークは等価TAリスト内のTAを減らすか、または一個のTAをUEに割当てるかをとることができる。【００５６】
このように、静止状態のセルはより小さいTA内でまたはより小さいTAリスト内で呼出され、その結果、UEが静止状態時における呼出しオーバーヘッドは大いに減少される。【００５７】
セルが、セル内静止状態基準がもはや満たされていないこと(UEがセルを開放したかセル再選択が行われた場合)をUEがネットワークに示したらすぐに、ネットワークは、UEが静止状態ではないと認識する。このことは、SiCフラグオフ(UEがTAを変えずに再選択した場合)を含む次の周期的TA更新メッセージを使用して明示的に、または次の正常なTA更新メッセージ(UEがTAを変えて再選択した場合)を使用して暗示的に、再びネットワークに示される。これは、他の既存の信号処理または新しく指定された信号の使用を除外するものではない。【００５８】
図1では、セル内で静止状態のUEに関する信号処理図が示されている。【００５９】
図中、UE 10と関連するネットワーク装置12が示され、ここでUE 10は、UE 10がセル内で静止状態であるかないかを示すためのセル内静止状態「SiCフラグ」として識別される信号フラグを出力するように設けられている。【００６０】
図1内において、ボックス14で示されるように、電源投入時または新しくTAが登録されたとき、SiCフラグはオフに設定される。電源投入または新TA登録の結果、TA更新信号16がUE 10からネットワーク装置12に送信され、ついで、ネットワーク装置はTA更新受付信号18を送信する。【００６１】
図1に示される実施例において、UE 10は所定の期間、セル内で静止状態のままである。UE 10の静止状態は、矢印20で示される周期的TA更新の期間、再選択を求めないUEによって識別され得る。【００６２】
この期間に上記のような再選択が要求されなければ、SiCフラグはオンに設定され、これによって、ネットワーク装置12に送られた周期的TA更新要求信号22の間、UE 10が静止状態であることが示される。【００６３】
処理ブロック24で、周期的TA更新信号内のSiCフラグオンを受信した状態において、ネットワーク装置12は、UE 10が静止状態である間の呼出しオーバーヘッドを減少させるために、新しいより小さなTAまたはより小さな等価TAリストをUE 10に割当てる。【００６４】
ここでUE 10に割当てられたTAに関する情報は図1では信号26として送信される。【００６５】
したがって、本発明のこの実施例によって示される新しい観点は、UE側でのSiCフラグの採用であり、このフラグは周期的TA更新タイマによって設定される期間、セル再選択がなされなければオンに設定されるが、セル再選択によってリセットできる。【００６６】
さらに、周期的TA更新メッセージにSiCフラグを含めることにより、UEがセル内で少なくともTA更新タイマの期間は静止状態であることをネットワークに示すことができる。これは、既存の信号処理によってSiCフラグをネットワークに中継するための有利かつ簡単な方法となる。【００６７】
ついで、周期的TA更新メッセージ内のオンに設定されたSiCフラグとセルId自身とに応答して、ネットワークは、より小さく、より適切なTAまたは等価TAリスト(使用可能な場合)を選択し、UEが静止状態中の呼出しオーバーヘッドを減少させる。【００６８】
図2では、UE 10とネットワーク装置12との間の同様な信号処理状況が示されていて、これは、始動ステップ28で示されるように、UE 10内でSiCフラグがオンに設定される状態から始まる。【００６９】
しかし、ステップ30において、UE 10は前もって選択されたTAとは異なるTA内の新しいセルを選択し、その結果、セル内でUEが静止状態であるかないかを決定する基準が、SiCフラグがオフに設定されるように満たされる。【００７０】
UE 10はこのことを、TA変更によって始動され信号32で示されるTA更新手順を介して、ネットワーク装置12に暗示的に示すという利点がある。【００７１】
ステップ34において上記信号を受信すると、ネットワーク装置12はUEがもはや静止状態ではないことを決定できる。その結果、ネットワーク装置12は、UE10がもはや静止状態ではないことを知らせる信号36内のTAまたはTAリストをUE10に割当て、これによって正常状態に戻ることになる。【００７２】
最後に、図3を参照するが、これは本発明の実施例による携帯電話受話器38のような携帯電話移動無線通信装置を略図形態として示している。【００７３】
上記受話器38は、標準的送受信機40、メモリ42、処理装置44を含むが、加えて、適切な指示がネットワークに送れるようにセル内で受話器38が静止状態であるかを決定するための手段46と、さらに、移動無線通信網から割当てられたTAまたは等価TAリストを受信し処理するための手段48を含む。【００７４】
本発明は上記例示した実施例の詳細によって制限されるものではない。例えば、UEが静止状態であるかないかを決定するためには、適当ないかなる手段をも使用できるし、ユーザ装置が適切に静止状態であるかないかをネットワークに示すために、各種構成のひとつを使用してもよい。【００７５】
以上から理解されるように、本発明は静止状態のUEに対する呼出しオーバーロードの減少において利点があり、また、UEが静止状態であることの決定に応答して実行される呼出しオーバーロードの減少という重要な実現に鑑みて、本発明は、UEが静止状態であると検出される期間が比較的長時間であることを考慮すると特に有益である。【００７６】
上記のように、本発明によれば、UEがいろいろな異なる基準のひとつに基づいて自身が静止状態であることを検出可能である。特定の選択された基準が満たされると、UEは自身の静止状態を示す役割をするフラグを作り、この事実を既存のまたは特別に設けられた信号処理を介してネットワークに通知することができる。このような指示に応じて、ネットワークはついでUEに対して最適なTAまたはTAリストを割当て、これによって呼出しオーバーロードを減らす。
【産業上の利用可能性】
【００７７】
本発明は、UEが静止状態であり得るようなあらゆる状態において、それが商業的環境での使用状態であろうと、呼出し信号処理のオーバーヘッド減少において有利である。
【図面の簡単な説明】
【００７８】
【図１】図1は、UEがセル内で静止状態のときの本発明の一実施例を示す信号処理図である。
【図２】図2は、UEがセル内でもはや静止状態でないときの本発明の一実施例によって出現するタイミング図である。
【図３】図3は、本発明の一実施例による移動無線通信装置の概略ブロック図である。
【図１】
2008130013.tif 000003
【図２】
2008130013.tif 000004
【図３】
2008130013.tif 000005
【国際調査報告】
2008130013.tif 000006
2008130013.tif 000007
2008130013.tif 000008
2008130013.tif 000009
2008130013.tif 000010
2008130013.tif 000011
2008130013.tif 000012